(57)【要約】      （修正有）【課題】発泡材料層及び網目層を含む、袋本体又はカバン本体を支持するための支持具を提供する。【解決手段】発泡材料層が加工過程において半溶融状態にあるとき、網目層を発泡材料層に貼り付け、貼り付けられている網目層１１及び発泡材料層１０で袋本体、カバン本体を支持するための支持具１を製造する。発泡材料層は、発泡ＰＥ材料層、又は発泡ＰＰ材料層とし、網目層は、網目式の生地材料層又は網目式の不織布材料層とする。この支持具を採用することで、袋、カバンの重量が軽くなり、使用者による持ち運びが便利になるだけでなく、袋、カバンの靱性がより好ましくなり、裂け難くなり、さらに長持ちするようになる。【選択図】図１
0003211930.tif 000002
【実用新案登録請求の範囲】
【請求項１】
発泡材料層と、前記発泡材料層に貼り付けられている網目層とを含む、ことを特徴とする袋本体又はカバン本体を支持するための支持具。
【請求項２】
前記発泡材料層が加工過程において半溶融状態にあるとき、前記網目層は、前記発泡材料層の内側又は外側に貼り付けられる、ことを特徴とする請求項１に記載の袋本体又はカバン本体を支持するための支持具。
【請求項３】
前記網目層は、網目式の生地材料層又は網目式の不織布材料層とする、ことを特徴とする請求項２に記載の袋本体又はカバン本体を支持するための支持具。
【請求項４】
前記網目層は、前記発泡材料層の内側に貼り付けられている第１の網目層と、前記発泡材料層の外側に貼り付けられている第２の網目層とを含む、ことを特徴とする請求項１に記載の袋本体又はカバン本体を支持するための支持具。
【請求項５】
前記第１の網目層は、網目式の生地材料層又は網目式の不織布材料層とする、ことを特徴とする請求項４に記載の袋本体又はカバン本体を支持するための支持具。
【請求項６】
前記第２の網目層は、網目式の生地材料層又は網目式の不織布材料層とする、ことを特徴とする請求項４に記載の袋本体又はカバン本体を支持するための支持具。
【請求項７】
前記発泡材料層は、発泡ＰＥ材料層又は発泡ＰＰ材料層とする、ことを特徴とする請求項１乃至６のいずれか１項に記載の袋本体又はカバン本体を支持するための支持具。
【考案の詳細な説明】
【技術分野】
【０００１】
本考案は、袋又はカバンの技術分野に関し、具体的には、袋本体又はカバン本体を支持するための支持具に関する。
【背景技術】
【０００２】
袋本体、カバン本体を支持し、或いは、袋本体、カバン本体のある部分の機能を強めるために、ある袋、カバンは、支持具の使用を必要する場合が多く、例えば、ゴルフボール袋、カバン、学生カバン、登山リュック、背嚢、運動用袋などは、袋本体又はカバン本体の内側に、例えば支持筒、支持シートなどの袋本体又はカバン本体を支持するための支持具が設けられている必要がある。従来の袋本体、カバン本体を支持するための支持具は、一般的にＰＥ材料又はＰＰ材料で直接に製造され（ＰＥは、ポリエチレンの略称であり、その英語はｐｏｌｙｅｔｈｙｌｅｎｅである。ＰＰは、ポリプロピレンの略称であり、その英語はｐｏｌｙｐｒｏｐｙｌｅｎｅである）、このようなＰＥ材料又はＰＰ材料で直接に製造された支持具は、比較的に硬く、それで支持される袋本体、カバン本体も頑丈であるが、その重量も比較的に重く、袋、カバン全体もより重くなるので、使用者の身体に負担をかけるだけでなく、使用者の屋外活動に大きな不便をかける。発泡材料で製造された支持具、例えば発泡ＰＥ材料又は発泡ＰＰ材料で製造された支持具については、その重量が軽く、製造される袋、カバンもより軽くなり、使用者による持ち運びが便利になるが、それは、例えば、靱性が悪く、裂けやすく、しかも支持効果が悪いという多くの欠点がある。
【考案の概要】
【０００３】
従来技術に存在する技術問題を克服するために、本考案の主な目的は、重量が軽く、裂け難い袋本体、カバン本体を支持するための支持具を提供することにある。
【０００４】
上記した目的を実現するために、本考案は、具体的に次の技術方案を採用する。
【０００５】
本考案は、発泡材料層と、前記発泡材料層に貼り付けられている網目層とを含む袋本体又はカバン本体を支持するための支持具を提供する。
【０００６】
前記発泡材料層が加工過程において半溶融状態にあるとき、前記網目層は、前記発泡材料層の内側又は外側に貼り付けられることが好ましい。
【０００７】
前記網目層は、網目式の生地材料層又は網目式の不織布材料層とすることが好ましい。
【０００８】
前記網目層は、前記発泡材料層の内側に貼り付けられている第１の網目層と、前記発泡材料層の外側に貼り付けられている第２の網目層とを含むことが好ましい。
【０００９】
前記第１の網目層は、網目式の生地材料層又は網目式の不織布材料層とし、前記第２の網目層は、網目式の生地材料層又は網目式の不織布材料層とすることが好ましい。
【００１０】
前記発泡材料層は、発泡ＰＥ材料層又は発泡ＰＰ材料層とすることが好ましい。
【００１１】
従来技術に比べて、本考案の袋本体、カバン本体を支持するための支持具は、発泡材料層と、前記発泡材料層に貼り付けられている網目層とを含む。そのうち、発泡材料の使用により、支持具を軽くすることができ、即ち、当該支持具で支持される袋又はカバンの重量がより軽くなり、使用者による持ち運びが便利になる。それと同時に、網目層を前記発泡材料層に貼り付けることで、支持具の靱性がより好ましくなり、裂け難くなり、それで製造された袋又はカバンがさらに長持ちするようになることができる。また、当該支持具は、程よい硬度を有するので、その袋本体、カバン本体に対する支持効果がより好ましくなる。
【図面の簡単な説明】
【００１２】
【図１】本考案の実施例１の支持具の構造図である。
【図２】本考案の実施例２の支持具の構造図である。
【図３】本考案の実施例３の支持具の構造図である。
【図４】本考案の実施例４の支持具の構造図である。
【考案を実施するための形態】
【００１３】
本考案の目的、技術方案及び利点をより明らかにするために、以下、図面及び実施例に基づいて、本考案をさらに詳しく説明する。ここで説明する具体的な実施例は、本考案を解釈するためのものに過ぎず、本考案を限定するためのものではないことを理解すべきである。
【００１４】
実施例１
図１に示すように、本考案は、ゴルフボール袋の袋本体、運動用袋などを支持するための支持具１を提供する。支持具１は、発泡材料層１０と、発泡材料層１０の内側に貼り付けられている網目層１１とを含む。具体的には、発泡材料がダイスから流出して半溶融状態にある際、網目層１１を発泡材料層１０の内側に貼り付けてから、段ボール状の板材を製造し、次いで、また当該板材で支持具１を製造する。発泡材料が半溶融状態にあるとき、網目層１１を発泡材料層１０に貼り付けることにより、網目層１１と発泡材料層１０との貼付がより強固になることができ、段ボール状の設計により、支持具１のコシをさらに強めることができる。他の実施例において、網目層１１は、発泡材料層１０の外側に貼り付けられてもよく、網目層１１を発泡材料層１０に貼り付けた後、平板状又は他の形状の板材を製造してからまた支持具１を製造してもよい。
【００１５】
本実施例において、発泡材料層１０は、発泡ＰＥ材料層とし、網目層１１は、網目式の生地材料層とする。別の実施例において、発泡材料層１０は、発泡ＰＰ材料層とし、網目層１１は、網目式の不織布材料層又は他の網目式の軽量材料層とする。
【００１６】
実施例２
図２に示すように、本実施例は、本実施例の支持具１が発泡材料層１２と、発泡材料層１２の内側に貼り付けられている第１の網目層１３と、発泡材料層１２の外側に貼り付けられている第２の網目層１４とを含む点で、実施例１と異なる。具体的には、発泡材料がダイスから流出して半溶融状態にある際、第１の網目層１３を発泡材料層１２の内側に貼り付け、第２の網目層１４を発泡材料層１２の外側に貼り付けてからまた支持具１を製造する。
【００１７】
本実施例において、発泡材料層１２は、発泡ＰＥ材料層とし、第１の網目層１３及び第２の網目層１４は、何れも網目式の生地材料層とする。別の実施例において、発泡材料層１２は、発泡ＰＰ材料層とし、第１の網目層１３及び第２の網目層１４は、何れも網目式の不織布材料層又は他の網目式の軽量材料層とする。
【００１８】
実施例３
図３に示すように、本考案は、学生カバン、リュックサックなどを支持するための支持具２を提供する。支持具２は、発泡材料層２０と、発泡材料層２０の内側に貼り付けられている網目層２１とを含む。具体的には、発泡材料がダイスから流出して半溶融状態にある際、網目層２１を発泡材料層２０の内側に貼り付けてから、段ボール状の板材を製造し、次いで、また当該板材で支持具２を製造する。発泡材料が半溶融状態にあるとき、網目層を発泡材料層に貼り付けることにより、網目層と発泡材料層との貼付がより強固になることができ、段ボール状の設計により、支持具２のコシをさらに強めることができる。他の実施例において、網目層２１は、発泡材料層２０の外側に貼り付けられてもよく、網目層２１を発泡材料層２０に貼り付けた後、平板状又は他の形状の板材を製造してからまた支持具２を製造してもよい。
【００１９】
本実施例において、発泡材料層２０は、発泡ＰＰ材料層とし、網目層２１は、網目式の不織布材料層とする。別の実施例において、発泡材料層２０は、発泡ＰＥ材料層とし、網目層２１は、網目式の生地材料層とする。
【００２０】
実施例４
図４に示すように、本実施例は、本実施例の支持具２が発泡材料層２２と、発泡材料層２２の内側に貼り付けられている第１の網目層２３と、発泡材料層２２の外側に貼り付けられている第２の網目層２４とを含む点で、実施例３と異なる。具体的には、発泡材料がダイスから流出して半溶融状態にある際、第１の網目層２３を発泡材料層２２の内側に貼り付け、第２の網目層２４を発泡材料層２２の外側に貼り付けてからまた支持具２を製造する。
【００２１】
本実施例において、発泡材料層２２は、発泡ＰＰ材料層とし、第１の網目層２３及び第２の網目層２４は、何れも網目式の生地材料層とする。別の実施例において、発泡材料層２２は、発泡ＰＥ材料層とし、第１の網目層２３及び第２の網目層２４は、何れも網目式の不織布材料層とする。
【００２２】
上述のように、本考案の好ましい具体的な実施形態に過ぎず、本考案の保護範囲は、これに限定されるものではなく、当業者が本考案に開示されている技術範囲において容易に想到できる、如何なる変更又は置換は、本考案の保護範囲に含まれるべきである。したがって、本考案の保護範囲は、実用新案登録請求の範囲を基準とすべきである。
【符号の説明】
【００２３】
１  ：  支持具（実施例１、実施例２）
２  ：  支持具（実施例３、実施例４）
１０  ：  発泡材料層（実施例１）
１１  ：  網目層（実施例１）
１２  ：  発泡材料層（実施例２）
１３  ：  第１の網目層（実施例２）
１４  ：  第２の網目層（実施例２）
２０  ：  発泡材料層（実施例３）
２１  ：  網目層（実施例３）
２２  ：  発泡材料層（実施例４）
２３  ：  第１の網目層（実施例４）
２４  ：  第２の網目層（実施例４）
【図１】
0003211930.tif 000003
【図２】
0003211930.tif 000004
【図３】
0003211930.tif 000005
【図４】
0003211930.tif 000006